(57)【特許請求の範囲】
【請求項１】
モジュラージャックに挿入する通信線のコネクタであって、
前記通信線に接続され、前記モジュラージャックに挿入する方向に対して当該コネクタの筐体の真ん中より後方の下面に配置された金属端子を有することを特徴とするコネクタ。
【請求項２】
前記筐体の上面に凸部が形成された係止爪を備え、
当該コネクタを前記モジュラージャックに挿入したときに、前記凸部が前記モジュラージャックの内部の上面を押すことにより、当該コネクタを下方向に押さえることを特徴とする請求項１記載のコネクタ。
【発明の詳細な説明】
【技術分野】
【０００１】
本発明は、通信線のコネクタに関する。
【背景技術】
【０００２】
通信装置や端末装置にモジュラージャックを備え、通信線の端に、電話線用コネクタ（ＲＪ−１１）やＬＡＮケーブル用コネクタ（ＲＪ−４５）を用いることで、コネクタをモジュラージャックに挿入するだけでモジュラージャックの金属端子と通信線コネクタの金属端子を簡単に接触させることが可能となる。
【０００３】
図３にモジュラージャック１００の内部と従来のコネクタ２００を示し、図４にモジュラージャック１００にコネクタ２００を挿入した際の断面図を示す。
【０００４】
モジュラージャック１００内部の底面には、復元力のある複数の金属端子１０１が配置される。コネクタ２００は、通信線２０３に接続された複数の金属端子２０２を備える。コネクタ２００をモジュラージャック１００に挿入した際には、モジュラージャック１００の金属端子１０１とコネクタ２００の金属端子２０２が接触する。また、コネクタ２００の上面に係止爪２０４を備え、コネクタ２００がモジュラージャック１００から抜けにくくしている。
【先行技術文献】
【特許文献】
【０００５】
【特許文献１】特開平１０−１７７８８２号公報
【発明の概要】
【発明が解決しようとする課題】
【０００６】
しかしながら、モジュラージャック１００の金属端子１０１と従来のコネクタ２００の金属端子２０２は、モジュラージャック１００の金属端子１０１の先端の復元力を利用して端子間を接触させているため、接触の圧力が弱く、雷サージ電流などの大電流が流れるとスパークが発生して故障しやすいという問題があった。
【０００７】
本発明は、上記に鑑みてなされたものであり、モジュラージャックとコネクタの接触点における雷サージ電流によるスパークの発生を抑制することを目的とする。
【課題を解決するための手段】
【０００８】
第１の本発明に係るコネクタは、モジュラージャックに挿入する通信線のコネクタであって、前記通信線に接続され、前記モジュラージャックに挿入する方向に対して当該コネクタの筐体の真ん中より後方の下面に配置された金属端子を有することを特徴とする。
【０００９】
上記コネクタにおいて、前記筐体の上面に凸部が形成された係止爪を備え、当該コネクタを前記モジュラージャックに挿入したときに、前記凸部が前記モジュラージャックの内部の上面を押すことにより、当該コネクタを下方向に押さえることを特徴とする。
【発明の効果】
【００１０】
本発明によれば、モジュラージャックとコネクタの接触点における雷サージ電流によるスパークの発生を抑制することができる。
【図面の簡単な説明】
【００１１】
【図１】（ａ）は本実施の形態におけるコネクタをモジュラージャックに挿入する前の横からみた断面図であり、（ｂ）は本実施の形態におけるコネクタをモジュラージャックに挿入したときの横からみた断面図である。
【図２】図１（ｂ）のＡ−Ａ断面における断面図である。
【図３】モジュラージャックの内部と従来のコネクタを示す斜視図である。
【図４】モジュラージャックにコネクタを挿入した際の様子を示す断面図である。
【発明を実施するための形態】
【００１２】
以下、本発明の実施の形態について図面を用いて説明する。
【００１３】
図１（ａ）に、本実施の形態におけるコネクタ１をモジュラージャック１００に挿入する前の横からみた断面図、図１（ｂ）に、本実施の形態におけるコネクタ１をモジュラージャック１００に挿入したときの横からみた断面図を示す。図２に、図１（ｂ）のＡ−Ａ断面における断面図を示す。
【００１４】
本実施の形態におけるコネクタ１は、通信線３に接続され、コネクタ１の筐体内部に収納された金属端子２をモジュラージャック１００に挿入する方向に対して後方、つまり通信線３側にずらすとともに、金属端子２の大きさを下方向に長くした。本実施の形態では、金属端子２をコネクタ１の筐体の真ん中より後ろに配置している。
【００１５】
図１（ａ）に示すように、モジュラージャック１００の金属端子１０１は、棒状の金属を開口部側で折り曲げて弾性を持たせるとともに、開口部から奥に向けてコネクタの金属端子との接触部分を傾斜させている。その結果、モジュラージャック１００の奥よりも開口部側のほうが反発力が強くなる。コネクタ１の金属端子２をコネクタ１の後方にずらすことで、モジュラージャック１００の金属端子１０１の反発力の強い開口部よりで接触するので接触の圧力が強くなる。
【００１６】
また、コネクタ１の前方に比べて、コネクタ１の後方は通信線３とモジュラージャック１００の金属端子１０１との間の距離が長くなる。そこで、コネクタ１の金属端子２が確実にモジュラージャック１００の金属端子１０１に接触するように、金属端子２がコネクタ１の底面近くまで存在するように長くした。
【００１７】
金属端子２は、コネクタ１の筐体の、モジュラージャック１００への挿入面から底面にかけて通信線方向に備えた複数の溝それぞれに収納されている。モジュラージャック１００の金属端子１０１は、コネクタ１がモジュラージャック１００に挿入された際に、コネクタ１が備える溝に収納されるように、所定の間隔で並べられている。したがって、コネクタ１をモジュラージャック１００に挿入した際には、モジュラージャック１００の金属端子１０１がコネクタ１の溝に収納され、モジュラージャック１００の金属端子１０１とコネクタ１の金属端子２が接触する。
【００１８】
図２の断面図に示すように、本実施の形態では、コネクタ１に４つの溝を備え、中央の２つの溝に金属端子２が収容されている。一部の溝にだけ金属端子２が収容されている場合もあれば、全ての溝に金属端子２が収容されている場合もある。例えば、ＲＪ−１１のコネクタは６極２芯で、６つの溝を備え、そのうちの２つの溝に金属端子が収容される。ＲＪ−４５のコネクタは８極８芯で、８つの溝を備えて全部の溝に金属端子が収容される。
【００１９】
本願発明のコネクタ１の上面に備えた係止爪４に凸部４Ａを形成した。これにより、コネクタ１をモジュラージャック１００に挿入したとき、凸部４Ａがモジュラージャック１００の内部の上面を押してコネクタ１を底面側に押しつけて、金属端子２，１０１が接触する圧力が増加される。
【００２０】
以上説明したように、本実施の形態によれば、通信線のコネクタ１の金属端子２をコネクタ１の通信線３側にずらすとともに、金属端子２の大きさを下方向に長くすることで、モジュラージャック１００の金属端子１０１とコネクタ１の金属端子２が接触する圧力が強くなり、雷サージ電流などによるスパークの発生を抑制することができる。
【００２１】
本実施の形態によれば、コネクタ１の上面に備えた係止爪４に凸部４Ａを形成することで、凸部４Ａがモジュラージャック１００の内部の上面を押してコネクタ１を底面側に押しつけて、金属端子２，１０１が接触する圧力を強くすることができる。
【符号の説明】
【００２２】
１…コネクタ
２…金属端子
３…通信線
４…係止爪
４Ａ…凸部
１００…モジュラージャック
１０１…金属端子
２００…コネクタ
２０２…金属端子
２０３…通信線
２０４…係止爪
【図１】
0005715035.tif 000002
【図２】
0005715035.tif 000003
【図３】
0005715035.tif 000004
【図４】
0005715035.tif 000005